(57)【要約】【課題】遊技機において、任意の位置に存在する熱源の周囲の空気の停滞を防止することができる冷却装置を提供する。【解決手段】冷却装置は、回転体と、羽根と、ダクト部材と、を備える。前記回転体は、円筒状であり、遊技機に組み込まれ、側部の支持部により軸を中心に回転自在に支持される。前記羽根は、前記回転体の中心から外方へ伸びて前記回転体の回転に伴う軸方向への気流を発生させる。前記ダクト部材は、前記羽根で発生して前記支持部の通気孔を介して流れる気流を受け空気を半径方向外方へ案内する。【選択図】図６
2017140215.tif 000002
【特許請求の範囲】
【請求項１】
遊技機に組み込まれ、側部の支持部により軸を中心に回転自在に支持された円筒状の回転体と、
前記回転体の中心から外方へ伸びて前記回転体の回転に伴う軸方向への気流を発生させる羽根と、
前記羽根で発生して前記支持部の通気孔を介して流れる気流を受け空気を半径方向外方へ案内するダクト部材と、
を備える冷却装置。
【請求項２】
前記ダクト部材は、前記支持部に対して着脱可能に取り付けられた、
請求項１に記載の冷却装置。
【請求項３】
前記ダクト部材と前記支持部との間に、前記支持部の円周方向に沿って嵌合部が設けられた、
請求項１または請求項２に記載の冷却装置。
【請求項４】
前記嵌合部は、前記支持部の円周方向に沿って複数設けられた、
請求項３に記載の冷却装置。
【請求項５】
前記嵌合部は、前記支持部の円周方向に沿って間隔が最小公倍数となるように複数設けられた、請求項４に記載の冷却装置。
【請求項６】
前記嵌合部は、前記支持部の円周方向に沿って一対設けられた、
請求項３に記載の冷却装置。
【請求項７】
請求項１から請求項６の何れかの冷却装置と、
自遊技機における種々の制御を行う制御回路と、
を備える遊技機。
【発明の詳細な説明】
【技術分野】
【０００１】
本発明は、冷却装置及び遊技機に関する。
【背景技術】
【０００２】
ぱちんこや回胴式遊技機などの遊技機では、抽選時などにさまざまな演出が行われている。それらの演出を行うために、遊技機では、多くの電子部品やモータなどが使用されている。
電子部品やモータなどは熱を発生するため、遊技機の内部において空気が停滞すると高温になる可能性がある。遊技機の内部が高温になると電子部品やモータなどは誤動作や故障する可能性がある。
そのため、遊技機では、遊技機の内部の温度が所定温度を超えないように設計段階で対策する必要がある。
特許文献１には、関連する技術として、リールの内周側を羽根の取り付け箇所とすることによってリール駆動機構を冷却する技術が開示されている。
【先行技術文献】
【特許文献】
【０００３】
【特許文献１】特開２０１５−０５１３３１号公報
【発明の概要】
【発明が解決しようとする課題】
【０００４】
遊技機において、電子部品やモータなどが設置される位置は、遊技機の機種毎に異なる。そのため、遊技機において、熱を発生する熱源の位置が機種毎に異なる。
したがって、特許文献１に記載の技術では、全機種の遊技機において、熱源の周囲の空気の停滞を防止することは困難である。
そのため、遊技機において、任意の位置に存在する熱源の周囲の空気の停滞を防止することのできる技術が求められていた。
【０００５】
本発明は、上記の課題を解決することのできる冷却装置及び遊技機を提供することを目的としている。
【課題を解決するための手段】
【０００６】
上記目的を達成するために、本発明は、遊技機に組み込まれ、側部の支持部により軸を中心に回転自在に支持された円筒状の回転体と、前記回転体の中心から外方へ伸びて前記回転体の回転に伴う軸方向への気流を発生させる羽根と、前記羽根で発生して前記支持部の通気孔を介して流れる気流を受け空気を半径方向外方へ案内するダクト部材と、を備える冷却装置である。
【０００７】
また、本発明は、上記の冷却装置と、自遊技機における種々の制御を行う制御回路と、を備える遊技機である。
【発明の効果】
【０００８】
本発明によれば、遊技機において、任意の位置に存在する熱源の周囲の空気の停滞を防止することができる。
【図面の簡単な説明】
【０００９】
【図１】本発明の第一の実施形態による遊技機の構成を示す図である。
【図２】本発明の第一の実施形態による冷却装置の構成を示す図である。
【図３】本発明の第一の実施形態による回転体と羽根を説明するための図である。
【図４】本発明の第一の実施形態による冷却装置におけるノズルの方向の変更を説明するための図である。
【図５】本発明の第一の実施形態による冷却装置における気流を説明するための図である。
【図６】本発明の第二の実施形態による冷却装置の最小構成を説明するための図である。
【発明を実施するための形態】
【００１０】
＜第一の実施形態＞
本発明の第一の実施形態による遊技機について説明する。
本発明の第一の実施形態による遊技機１の構成について説明する。
本発明の第一の実施形態による遊技機１は、図１に示すように、冷却装置１０、制御基板モジュール２０、スタートレバー３０、ストップボタン４０を備える。
なお、図１（ａ）は、遊技機１の正面図である。図１（ｂ）は、遊技機１の右側面図である。図１（ｃ）は、遊技機１の背面図である。
【００１１】
冷却装置１０は、図２に示すように、回転体１０１、羽根１０２、ダクト部材１０３、軸１０４、支持部１０５、リールユニットカバー１０６を備える。
なお、図２（ａ）は、後述するダクト部材１０３に収容された状態の冷却装置１０を示す図である。図２（ｂ）は、ダクト部材１０３から取り出された状態の冷却装置１０を示す図である。
【００１２】
回転体１０１は、図３に示すように、円筒状である。回転体１０１は、軸１０４を中心に回転可能に支持され、図３に示すように、側部に支持部１０５を有する。なお、図３（ａ）は、後述する羽根１０２が設けられた回転体１０１の側面図である。図３（ｂ）は、羽根１０２が設けられた回転体１０１の第１の方向から見た斜視図である。図３（ｃ）は、羽根１０２が設けられた回転体１０１の第１の方向とは異なる第２の方向から見た斜視図である。回転体１０１は、図１（ａ）に示すように、遊技機１に組み込まれる。回転体１０１は、冷却装置１０の側部の支持部１０５により後述する軸１０４を中心に回転自在に支持される。
【００１３】
羽根１０２は、図３に示すように、回転体１０１の中心から外方へ伸びていて、回転体１０１の回転に伴って軸方向への気流を発生させる。
【００１４】
リールユニットカバー１０６は、回転体１０１の周囲を覆い、羽根１０２で発生した気流を側方（図１（ａ）の左から右へ）へ案内し、リールユニットカバー１０６の一側面に形成された円弧状のスリット１０６１から空気を吹き出させている。
リールユニットカバー１０６の一側面には、気流を回転体１０１の半径方向へ案内するダクト部材１０３が設けられている。
ダクト部材１０３は、リールユニットカバー１０６の側面に対応した形状の円板状をなす側板１０３１と、側板１０３１の中心に（すなわち回転体１０１の回転中心と同心状に）基端部が連結され、軸方向への気流を半径方向外方へ導く直管部１０３２と、直管部１０３２の先端に連結され、伸縮および屈曲自在なじゃばら状をなす曲管部１０３３部と、曲管部１０３３の先端に連結され、吹きつけ対象部へ所定の流速で空気を噴射するノズル１０３４とを有する。
【００１５】
支持部１０５は、支持部１０５自身とダクト部材１０３の側板１０３１との間に支持部１０５の円周方向に沿って所定間隔で配置された嵌合部１０７を有する。嵌合部１０７によって、支持部１０５とダクト部材１０３とが着脱可能となる。
嵌合部１０７は、支持部１０５の円周方向に沿って所定間隔で配置された嵌合凹部１０７１と、側板１０３１の側面に嵌合凹部１０７１の配置に対応して配置された嵌合凸部１０７２とから構成され、嵌合凹部１０７１に嵌合凸部１０７２を挿入して嵌合させることにより、ダクト部材１０３を支持部１０５へ一体に連結するようになっている。
嵌合部１０７を構成する嵌合凹部１０７１と嵌合凸部１０７２との間隔、すなわち配置のピッチは、同一のピッチ、あるいは互いに整数倍（最小公倍数を含む）となるピッチとして円周方向へ相対的に位置をずらして配置できるよう構成してもよいし、あるいは、あえて一定でないピッチ、あるいは単数にして、円周方向への相対位置を特定することができるように構成してもよい。更に、嵌合凹部１０７１，嵌合凸部１０７２の一方の数を他方の数より少なくして、一部のみを選択的に嵌合させるようにしてもよい。
【００１６】
リールユニットカバー１０６は、支持部１０５を固定する。リールユニットカバー１０６は、羽根１０２が回転体１０１の中心から外方へ伸びて回転体１０１の回転に伴い発生させた軸方向への気流を外部に逃がさないように機能する。リールユニットカバー１０６は、遊技機１の背面側の約１８０の範囲に存在する。
なお、ユーザが遊技機１の正面からリールに描かれた絵柄を視認できるように、遊技機１の正面側の残りの範囲にはリールユニットカバー１０６は存在しない。しかしながら、羽根１０２が回転体１０１の中心から外方へ伸びて回転体１０１の回転に伴い発生させた軸方向への気流を外部に逃がさないように、遊技機１の正面側の残りの範囲をユーザが絵柄を視認できる透明なケースで覆ってもよい。
【００１７】
制御基板モジュール２０（制御回路）は、遊技機１における種々の制御を行う。
例えば、制御基板モジュール２０は、抽選時の演出を制御する。
【００１８】
スタートレバー３０は、ユーザによるレバー操作に応じて、回転体１０１の回転を開始させる。
【００１９】
ストップボタン４０は、ユーザによるボタンの押下に応じて、回転体１０１の回転を停止させる。
【００２０】
本発明の第一の実施形態による冷却装置１０の動作について説明する。
ユーザが遊技機にコインを入れ、スタートレバー３０に対してレバー操作を行う。
スタートレバー３０は、ユーザによるレバー操作に応じて、回転体１０１の回転を開始させる。
【００２１】
図１（ａ）で示した３つの回転体１０１が回転を開始する。
回転体１０１が回転を開始すると、羽根１０２は、図５に示すように、遊技機１において、回転体１０１の中心から外方へ伸びて回転体１０１の回転に伴う軸方向への気流を発生させる。
【００２２】
ダクト部材１０３は、羽根１０２が発生させた気流を受け空気を半径方向外方へ案内する。そして、ダクト部材１０３は、ノズル１０３４から空気を任意の方向へ送出する。
本発明の第一の実施形態では、ダクト部材１０３は、図１（ｃ）で示したように、遊技機１の機内で最も発熱量が大きい制御基板モジュール２０に空気を送出する。
【００２３】
ユーザがストップボタン４０を押下する。
ストップボタン４０は、ユーザによるボタンの押下に応じて、回転体１０１の回転を停止させる。
例えば、ユーザが遊技機１の正面に対して左側のストップボタン４０を押下した場合、ストップボタン４０は、遊技機１の正面に対して左側の回転体１０１の回転を停止させる。また、ユーザが遊技機１の正面に対して中央のストップボタン４０を押下した場合、ストップボタン４０は、遊技機１の正面に対して中央の回転体１０１の回転を停止させる。また、ユーザが遊技機１の正面に対して右側のストップボタン４０を押下した場合、ストップボタン４０は、遊技機１の正面に対して右側の回転体１０１の回転を停止させる。
【００２４】
なお、遊技機１において、３つの回転体１０１は、３つすべてが回転しているか、３つすべてが停止している場合が殆どである。そのため、回転している一の羽根１０２から発生した気流を停止している他の羽根１０２が妨げる、すなわち、空気抵抗となることは殆どないといえる。
【００２５】
以上、本発明の第一の実施形態による遊技機１について説明した。
本発明の第一の実施形態による遊技機１において、冷却装置１０は、回転体１０１、羽根１０２、ダクト部材１０３、を備える。回転体１０１は、円筒状である。回転体１０１は、遊技機１に組み込まれ、冷却装置１０の側部の支持部１０５により軸１０４を中心に回転自在に支持される。羽根１０２は、回転体１０１の中心から外方へ伸びて回転体１０１の回転に伴う軸方向への気流を発生させる。ダクト部材１０３は、羽根１０２で発生して支持部１０５の通気孔を介して流れる気流を受け空気を半径方向外方へ案内する。
このようにすれば、冷却装置１０は、遊技機１において、任意の位置に存在する熱源の周囲の空気の停滞を防止することができる。
【００２６】
＜第二の実施形態＞
本発明の第二の実施形態による冷却装置について説明する。
本発明の第二の実施形態による冷却装置は、本発明の最小構成の冷却装置である。
【００２７】
本発明の第二の実施形態による冷却装置１０は、図６に示すように、少なくとも、回転体１０１、羽根１０２、ダクト部材１０３、を備える。
【００２８】
回転体１０１は、図３で示した第一の実施形態による回転体１０１のように、円筒状である。回転体１０１は、遊技機に組み込まれ、側部の支持部により軸を中心に回転自在に支持される。
【００２９】
羽根１０２は、図３で示した第一の実施形態による羽根１０２のように、回転体１０１の中心から外方へ伸びて回転体１０１の回転に伴う軸方向への気流を発生させる。
【００３０】
ダクト部材１０３は、図６に示すように、羽根１０２で発生して支持部の通気孔を介して流れる気流を受け空気を半径方向外方へ案内する。
【００３１】
このようにすれば、冷却装置１０は、遊技機において、任意の位置に存在する熱源の周囲の空気の停滞を防止することができる。
【００３２】
なお、本発明の実施形態における処理フローは、適切な処理が行われる範囲において、処理の順番が入れ替わってもよい。
【００３３】
本発明の実施形態における記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【００３４】
本発明の実施形態について説明したが、上述の制御基板モジュール２０は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００３５】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００３６】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【００３７】
１・・・遊技機
１０・・・冷却装置
２０・・・制御基板モジュール
３０・・・スタートレバー
４０・・・ストップボタン
１０１・・・回転体
１０２・・・羽根
１０３・・・ダクト部材
１０４・・・軸
１０５・・・支持部
１０６・・・リールユニットカバー
１０７・・・嵌合部
１０３１・・・側板
１０３２・・・直管部
１０３３・・・曲管部
１０３４・・・ノズル
１０７１・・・嵌合凹部
１０７２・・・嵌合凸部
１０６１・・・スリット
【図１】
2017140215.tif 000003
【図２】
2017140215.tif 000004
【図３】
2017140215.tif 000005
【図４】
2017140215.tif 000006
【図５】
2017140215.tif 000007
【図６】
2017140215.tif 000008